(57)【特許請求の範囲】
【請求項１】
ケース内に計時部を収容した時計本体と、前記ケース内に収容された被操作部と、前記ケースから露出し前記被操作部を操作するための操作部を有する携帯時計において、
ロック位置とアンロック位置に回転操作可能に配設された回転部材と、
前記回転部材と一体になって回転する弾性部材と、
ケース方向又は反ケース方向に移動可能に配設された操作部とを備えて成り、
前記ケースに一体的に設けられた円筒部材と、
前記円筒部材に設けられた貫通孔とを備え、
前記回転部材は前記円筒部材を軸として、前記ロック位置とアンロック位置に回転可能に配設されると共に、前記操作部は前記円筒部材内に摺動可能に配設されて成り、
前記弾性部材は、前記回転部材が前記アンロック位置のときに前記貫通孔から排出された位置に移動して前記操作部の軌道から外れて前記操作部を操作可能にし、前記回転部材が前記ロック位置のときに前記貫通孔に移動して前記操作部の軌道内に位置することにより前記操作部の操作を阻止することを特徴とする携帯時計。
【請求項２】
前記弾性部材はＣ字形のバネ部材によって形成されると共に、前記貫通孔は相互に対向するように前記円筒部材に一対設けられて成り、
前記バネ部材は、前記回転部材が前記アンロック位置になるときに前記円筒部材により前記一対の貫通孔から排出された位置に移動されて、前記操作部の軌道から外れて前記操作部を操作可能にし、前記回転部材が前記ロック位置になるときに前記一対の貫通孔に移動されて、前記操作部の軌道内に位置することにより前記操作部の操作を阻止することを特徴とする請求項１記載の携帯時計。
【請求項３】
前記円筒部材は前記一対の貫通孔間に凹部を有し、
前記バネ部材は、前記回転部材が前記アンロック位置のときに前記凹部に係合することを特徴とする請求項２記載の携帯時計。
【請求項４】
前記回転部材は収容穴を有し、
前記バネ部材は、前記回転部材が前記アンロック位置のときに前記収容穴に位置することを特徴とする請求項２又は３記載の携帯時計。
【請求項５】
前記回転部材には、ロック状態及びアンロック状態を示すための識別マークが設けられていることを特徴とする請求項１乃至４のいずれか一に記載の携帯時計。
【請求項６】
前記操作部は操作ボタンであると共に、前記被操作部はスイッチであることを特徴とする請求項１乃至５のいずれか一に記載の携帯時計。
【請求項７】
前記操作部は竜頭であると共に、前記被操作部は巻真であることを特徴とする請求項１乃至５のいずれか一に記載の携帯時計。
【発明の詳細な説明】
【０００１】
【発明の属する技術分野】
本発明は、腕時計をはじめとする携帯時計における、操作ボタンや竜頭等の操作部のロック構造に関する。
【０００２】
【従来の技術】
従来から、腕時計等の操作部付き携帯時計においては、操作部が不用意に操作されないように、操作部を所定位置にロックするための操作部ロック構造が備えられている。
図１２は、従来の携帯時計における操作部ロック構造を示す断面図である。尚、図１２では、操作ボタン１２０１のロック状態及びアンロック状態をあわせて示している。
図１２において、操作部ロック構造は、操作ボタン１２０１、その内部にネジ１２０６を有する回転部材１２０２、操作ボタン１２０１を時計本体のケース１２００から突出する方向に付勢するコイルバネ１２０３、その外部にネジ１２０６と螺合するネジ１２０８を有する円筒部材１２０７を備えている。
【０００３】
操作ボタン１２０１のケース１２００側の端部１２０４には抜け留め部材１２０５が設けられており、これにより、操作ボタン１２０１がコイルバネ１２０３の付勢力によって円筒部材１２０７から抜け落ちるのを防止するように構成されている。
操作ボタン１２０１の端部１２０４近傍のケース１２００内部には、スイッチ１２０９が配設されている。
尚、回転部材１２０２は、ロック状態の位置を符号１２０２ａで示し、アンロック状態の位置を符号１２０２ｂで示している。
【０００４】
以上のように構成された操作部ロック構造の動作を説明する。
先ず、ロック状態では、回転部材１２０２は１２０２ａの位置にある。この状態では、操作ボタン１２０１が回転部材１２０２ａに当接しているため、操作ボタン１２０１をケース１２００側に押し込み操作することができない。
この状態から、回転部材１２０２ａを複数回回転操作すると、回転部材１２０２ａは円筒部材１２０７に螺合しつつケース１２００側へ進む。
回転部材１２０２がケース１２００に当接するアンロック位置（回転部材１２０２ｂの位置）になると、操作ボタン１２０１は回転部材１２０２ｂとの間に間隙が形成されるので、コイルバネ１２０３の付勢力に抗して、操作ボタン１２０１をケース１２００方向へ押し込み操作することが可能になる。
【０００５】
前記アンロック状態で、操作ボタン１２０１をケース１２００方向へ押し込み操作することにより、スイッチ１２０９を操作する。これにより、スイッチ１２０９に対応付けられた機能を実行することができる。
アンロック状態からロック状態にする場合は、回転部材１２０２を、前記回転とは逆方向に複数回回転させることによりロック状態の位置（回転部材１２０２ａの位置）にする。
以上のようにして、操作ボタン１２０１をロックするロック状態と、ロック状態を解除するアンロック状態に切り換えることが可能になる。
【０００６】
【発明が解決しようとする課題】
前記従来の携帯時計では、回転部材１２０２を複数回回転させる必要があるため操作が煩雑であり又、ロック状態とアンロック状態の切換えを瞬時に行うことができないという問題があった。
また、操作ボタン１２０１のロック状態及びアンロック状態が使用者にとって不明瞭であり、操作ボタン１２０１がロック状態にあるのかアンロック状態にあるのはわかり難いという問題があった。
【０００７】
本発明は、操作部のロック状態とアンロック状態の切換えを瞬時に行うことができるようにすることを課題としている。
また、本発明は、操作部がロック状態にあるのかアンロック状態にあるのかを認識しやすいようにすることを課題としている。
【０００８】
【課題を解決するための手段】
本発明によれば、ケース内に計時部を収容した時計本体と、前記ケース内に収容された被操作部と、前記ケースから露出し前記被操作部を操作するための操作部を有する携帯時計において、ロック位置とアンロック位置に回転操作可能に配設された回転部材と、前記回転部材と一体になって回転する弾性部材と、前記ケース方向又は反ケース方向に移動可能に配設された操作部とを備えて成り、前記操作部は、前記回転部材が前記ロック位置にあるときに前記弾性部材に係合して前記ケース方向又は反ケース方向の移動が規制され、前記回転部材が前記アンロック位置にあるときに前記弾性部材に係合することなく前記ケース方向又は反ケース方向の移動が可能になることを特徴とする携帯時計である。操作部は、回転部材がロック位置にあるときに弾性部材に係合してケース方向又は反ケース方向の移動が規制され、前記回転部材がアンロック位置にあるときに前記弾性部材に係合することなく前記ケース方向又は反ケース方向の移動が可能になる。
【０００９】
ここで、前記ケースに一体的に設けられた円筒部材と、前記円筒部材に設けられた貫通孔とを備え、前記回転部材は前記円筒部材を軸として、前記ロック位置とアンロック位置に回転可能に配設されると共に、前記操作部は前記円筒部材内に摺動可能に配設されて成り、前記弾性部材は、前記回転部材が前記アンロック位置のときに前記貫通孔から排出された位置に移動して前記操作部の軌道から外れて前記操作部を操作可能にし、前記回転部材が前記ロック位置のときに前記貫通孔に移動して前記操作部の軌道内に位置することにより前記操作部の操作を阻止するように構成してもよい。
【００１０】
また、前記弾性部材はＣ字形のバネ部材によって形成されると共に、前記貫通孔は相互に対向するように前記円筒部材に一対設けられて成り、前記バネ部材は、前記回転部材が前記アンロック位置になるときに前記円筒部材により前記一対の貫通孔から排出された位置に移動されて、記操作部の軌道から外れて前記操作部を操作可能にし、前記回転部材が前記ロック位置になるときに前記一対の貫通孔に移動されて、前記操作部の軌道内に位置することにより前記操作部の操作を阻止するように構成してもよい。
また、前記円筒部材は前記一対の貫通孔間に凹部を有し、前記バネ部材は、前記回転部材が前記アンロック位置のときに前記凹部に係合するように構成してもよい。
【００１１】
また、前記回転部材は収容穴を有し、前記バネ部材は、前記回転部材が前記アンロック位置のときに前記収容穴に位置するように構成してもよい。
また、前記回転部材には、ロック状態及びアンロック状態を示すための識別マークが設けられているように構成してもよい。
また、前記操作部は操作ボタンであると共に、前記被操作部はスイッチであるように構成してもよい。
また、前記操作部は竜頭であると共に、前記被操作部は巻真であるように構成してもよい。
【００１２】
【発明の実施の形態】
（第１の実施の形態）
図１は、本発明の第１の実施の形態に係る携帯時計における操作部ロック構造を示す図で、操作ボタン１０１がロック状態の図である。尚、図１（ａ）は正断面図、同図（ｂ）は同図（ａ）のＸ−Ｘ断面図である。また、同図（ｂ）では、操作ボタン１０１の頭部１０８の外形を２点鎖線で示している。
図２は、本発明の第１の実施の形態に係る携帯時計における操作部ロック構造を示す図で、操作ボタン１０１がアンロック状態（ロック状態が解除された状態）の図である。尚、図２（ａ）は正断面図、同図（ｂ）は同図（ａ）のＸ−Ｘ断面図である。また、同図（ｂ）では、操作ボタン１０１の頭部１０８の外形を２点鎖線で示している。
【００１３】
図３は円筒部材１０３の構成を示す図で、同図（ａ）は正面図、同図（ｂ）は底面図、同図（ｃ）は右側面図である。また、図４は円筒部材１０３の斜視図である。
図５はバネ１０４を示す図で、同図（ａ）は正面図、同図（ｂ）は底面図である。
図６は前記操作部ロック構造の一部を示す分解斜視図で、操作ボタン１０１がロック状態にあるときの図である。
図７は前記操作部ロック構造の一部を示す分解斜視図で、操作ボタン１０１がアンロック状態にあるときの図である。
図８は前記操作部ロック構造の一部を示す斜視図で、操作ボタン１０１がロック状態にあるときの図である。
図９は前記操作部ロック構造の一部を示す斜視図で、操作ボタン１０１がアンロック状態にあるときの図である。
尚、図１〜図９において、同一部分には同一符号を付している。
【００１４】
図１〜図９において、本実施の形態に係る操作部ロック構造は、操作部を構成する操作ボタン１０１、回転部材１０２、円筒部材１０３、弾性部材を構成するＣ字形バネ１０４、回転部材１０２に対向配設した一対の凹部で構成された識別マーク１０５、１０５及びコイルバネ１０６を備えており、腕時計本体のケース１００に一体的に設けられている。
操作ボタン１０１は円柱状の頭部１０８、頭部１０８よりも小径の円柱状の胴部１０９を備えている。頭部１０８の胴部１０９側には、頭部１０８の端部円周に沿って円形状突部１０７が形成されている。操作ボタン１０１の胴部１０９の端部１１０には抜け留め部材１１１が一体的に設けられている。
円筒部材１０３は大径部１１５及び大径部１１５よりも小径の小径部１１６を有している。操作ボタン１０１は、頭部１０８の一部が突出した状態で大径部１１５内に収容されると共に、胴部１０９が小径部１１６に収容されており、操作ボタン１０１は胴部１０９の軸方向Ａに沿って摺動可能に保持されている。
【００１５】
操作ボタン１０１は円筒部材１０３内に配設されたコイルバネ１０６によって円筒部材１０３から突出する方向（反ケース１００方向）に付勢されている。抜け留め部材１１１が円筒部材１０３の小径部１１６の端部に当接することにより、操作ボタン１０１がコイルバネ１０６の付勢力によって円筒部材１０３から抜け落ちるのを防止するように構成されている。
円筒部材１０３の大径部１１５には、大径部１１５の円周方向に沿って、相互に対向する位置に一対の貫通溝１１４、１１４が形成されている。貫通溝１１４、１１４は貫通孔を構成している。また、両貫通溝１１４、１１４間には相互に対向する位置に、一対の凹部３０１、３０１が形成されている。
【００１６】
回転部材１０２の内部には、その円周方向に沿って溝部１１３が形成されている。また、回転部材１０２の内部には凸部１１７が形成されている。
回転部材１０２内には、円筒部材１０３を挟むようにＣ字形バネ１０４が配設されている。バネ１０４は、その両端部１１８、１１８によって回転部材１０２の凸部１１７を挟持するように保持されており、これにより、バネ１０４は回転部材１０２と一体になって回転するように構成されている。
また、バネ１０４、貫通孔１１４、１１４、溝部１１３は回転部材１０２及び筒状部材１０３の半径方向の同一面内に配設されており、バネ１０４が貫通孔１１４、１１４を介して溝部１１３内に突出することができるように構成されている。
ケース１００内の端部１１０近傍には被操作部を構成するスイッチ１１２が配設されており、アンロック状態のとき、操作ボタン１０１をケース１００側に押し込み操作することにより、スイッチ１１２を操作することができるように構成されている。
【００１７】
以上のように構成された操作部ロック構造の動作を説明する。
先ず、ロック状態では、各構成要素は図１、図６、図８に示す状態にある。
即ち、回転部材１０２は、識別マーク１０５、１０５が上及び下方向に位置するようになっている。
この状態では、バネ１０４は貫通溝１１４、１１４内に突出して、操作ボタン１０１の円形状突部１０７に対向するように位置している。これにより、バネ１０４が操作ボタン１０１の軌道上に位置して、操作ボタン１０１はケース１００方向に押し込み操作できないようになっている。
尚、使用者は、識別マーク１０５が回転部材１０２の上下に位置することによりロック状態にあることを容易に知ることができる。
【００１８】
この状態から、円筒部材１０２を９０度だけ左又は右に回転させることによってアンロック状態にする。
アンロック状態では、各構成要素は図２、図７、図９に示す状態になる。
即ち、回転部材１０２は、識別マーク１０５、１０５が左及び右方向に位置するようになる。
また、回転部材１０２の回転にともない、バネ１０４が回転部材１０２と一体となって回転するため、バネ１０４は貫通溝１１４、１１４から排出されて、貫通溝１１４、１１４を介して溝部１１３、１１３内に位置するようになる。また、バネ１０４は、凹部３０１、３０１を挟持する位置で保持される。尚、バネ１０４が凹部３０１、３０１を挟持することにより、回転部材１０２の回転操作にクリック感が得られ、ロック状態からアンロック状態になったことを回転部材１０２の操作感で知ることができる。したがって、回転部材１０２を過大に回転させることを防止できる。
【００１９】
バネ１０４が貫通溝１１４、１１４から排出されると、バネ１０４は操作ボタン１０１の軌道上に存在しなくなるため、操作ボタン１０１はケース１００側に押し込み操作が可能になる。
また、回転部材１０２の識別マーク１０５、１０５が左右方向に位置するようになるため、使用者はアンロック状態にあることを知ることができる。
前記アンロック状態で、操作ボタン１０１をケース１００側へ押し込み操作することにより、スイッチ１１２を操作する。これにより、スイッチ１１２に対応付けられた機能を実行することができる。
【００２０】
アンロック状態からロック状態にする場合には、回転部材１０２を、９０度左又は右に回転させることにより、前記ロック状態に移行する。尚、バネ１０４が貫通溝１１４、１１４内に位置することにより、回転部材１０２の回転操作にクリック感が得られ、アンロック状態からロック状態になったことを回転部材１０２の操作感で知ることができる。したがって、回転部材１０２を過大に回転させることを防止できる。
以上のようにして、操作ボタン１０１をロックするロック状態と、ロック状態を解除したアンロック状態とを切り換えることが可能になる。
【００２１】
（第２の実施の形態）
図１０は、本発明の第２の実施の形態に係る携帯時計における操作部ロック構造を示す図で、操作部として竜頭１００１を用いた例である。尚、竜頭１００１はロック状態にある。
図１１は、図１１の操作部ロック構造において、竜頭１００１がアンロック状態の図である。
尚、図１０及び図１１において、図１〜図９と同一部分には同一符号を付している。
【００２２】
本第２の実施の形態が前記第１の実施の形態と相違する点は、操作部が竜頭１００１であり、被操作部が巻真１００３である点、及び、アンロック状態では、竜頭１００３をケース１００から離れる方向（反ケース１００方向）に操作することにより、竜頭１００３の胴部１０９に一体的に設けられた巻真１００３を操作できるように構成した点である。
本第２の実施の形態では、ロック状態では、回転部材１０２と一体的に回転するＣ字形バネ１０４が、竜頭１００１に形成された溝部１００２内に位置し、これにより、竜頭１００１は反ケース１００方向へ移動できないように構成されている（図１０参照）。
【００２３】
ロック状態から、回転部材１０２を９０度左又は右に回転させることによってアンロック状態に切り換えると、バネ１０４は貫通溝１１４を介して溝部１１３内に収容される。これにより、バネ１０４は竜頭１００１の軌道上から外れるため、竜頭１００１は反ケース１００方向へ移動可能になる。
前記アンロック状態で、竜頭１００１を反ケース１００方向へ引き出すことにより、巻真１００３を操作する。これにより、巻真１００３に対応付けられた機能を実行することができる。
アンロック状態からロック状態にする場合には、回転部材１０２を、９０度左又は右に回転させることにより、前記ロック状態になる。
以上のようにして、回転部材１０２を９０度回転することにより、竜頭１００１をロックするロック状態と、ロック状態を解除したアンロック状態とを切り換えることが可能になる。
【００２４】
以上述べたように、本発明の実施の形態に係る携帯時計における操作部ロック構造は、ケース１００内に計時部を収容した時計本体と、ケース１００内に収容された被操作部１１２、１００３と、ケース１００から露出し被操作部１１２、１００３を操作するための操作部１０１、１００１を有する携帯時計において、回転可能に配設され、所定角度回転することによりロック位置とアンロック位置との間で移行可能な回転部材１０２と、回転部材１０２と一体になって回転する弾性部材１０４と、ケース１００方向又は反ケース１００方向へ移動可能に配設された操作部１０１、１００１とを備えて成り、操作部１０１、１００１は、回転部材１０２が前記ロック位置にあるときに弾性部材１０４に係合してケース１００方向又は反ケース１００方向への移動が規制され、回転部材１０２が前記アンロック位置にあるときに弾性部材１０４に係合することなくケース１００方向又は反ケース１００方向への移動が可能になることを特徴としている。
【００２５】
したがって、回転部材を操作部のロック状態とアンロック状態の切換えを瞬時に行うことが可能になる。
また、ロック状態とアンロック状態間の切換えを行う場合に、操作部１０１、１００１を所定角度（前記各実施の形態では９０度）だけ回転すればよく、操作部１０１、１００１を複数回回転する必要がないため、ロック状態とアンロック状態の切り換えを瞬時に行うことが可能になる。
また、回転部材１０２に識別マークを設けているので、操作部１０１、１００１がロック状態にあるのかアンロック状態にあるのかを容易に認識することが可能になる。
また、回転部材１０２は、フリーな状態に構成されているので、過大に回転させた場合にも破損するおそれがない。
【００２６】
尚、前記第１の実施の形態では、操作ボタン１０１を押し込み操作するように構成したが、引き出し操作するように構成してもよい。
また、前記第２の実施の形態では、竜頭１００１を引き出し操作するように構成したが、押し込み操作するように構成してもよい。
また、バネ１０４はＣ字形に構成したが、一対の開放端部を有する３角形状、６角形状等の多角形状や、半楕円形状等に構成するようにしてもよい。
【００２７】
【発明の効果】
本発明によれば、ロック状態とアンロック状態間の切換えを行う場合に、操作部を複数回回転する必要がなく、操作部のロック状態とアンロック状態の切換えを瞬時に行うことが可能になる。
また、操作部がロック状態にあるのかアンロック状態にあるのかを容易に認識することが可能になる。
また、回転部材を過大に回転させた場合でも破損するおそれが少ないという効果を奏する。
【図面の簡単な説明】
【図１】本発明の第１の実施の形態に係る携帯時計における操作部ロック構造を示す図である。
【図２】本発明の第１の実施の形態に係る携帯時計における操作部ロック構造を示す図である。
【図３】本発明の第１の実施の形態に使用する円筒部材の構成を示す図である。
【図４】本発明の第１の実施の形態に使用する円筒部材の斜視図である。
【図５】本発明の第１の実施の形態に使用するバネの構成を示す図である。
【図６】本発明の第１の実施の形態に係る携帯時計における操作部ロック構造の分解斜視図である。
【図７】本発明の第１の実施の形態に係る携帯時計における操作部ロック構造の分解斜視図である。
【図８】本発明の第１の実施の形態に係る携帯時計における操作部ロック構造の斜視図である。
【図９】本発明の第１の実施の形態に係る携帯時計における操作部ロック構造の斜視図である。
【図１０】本発明の第２の実施の形態に係る携帯時計における操作部ロック構造を示す図である。
【図１１】本発明の第２の実施の形態に係る携帯時計における操作部ロック構造を示す図である。
【図１２】従来の操作部ロック構造を示す図である。
【符号の説明】
１００・・・ケース
１０１・・・操作部を構成する操作ボタン
１０２・・・回転部材
１０３・・・円筒部材
１０４・・・弾性部材を構成するバネ
１０５・・・識別マーク
１０６・・・コイルスプリング
１１２・・・被操作部を構成するスイッチ
１１３、１００２・・・溝部
１１４・・・貫通孔を構成する貫通溝
３０１・・・凹部
１００１・・・操作部を構成する竜頭
１００３・・・被操作部を構成する巻真
【図１】
0003810691.tif 000002
【図２】
0003810691.tif 000003
【図３】
0003810691.tif 000004
【図４】
0003810691.tif 000005
【図５】
0003810691.tif 000006
【図６】
0003810691.tif 000007
【図７】
0003810691.tif 000008
【図８】
0003810691.tif 000009
【図９】
0003810691.tif 000010
【図１０】
0003810691.tif 000011
【図１１】
0003810691.tif 000012
【図１２】
0003810691.tif 000013